(57)【特許請求の範囲】
【請求項１】
機関運転状態を検出する手段と、機関運転状態に応じて燃料噴射量と燃料噴射時期と燃料圧力を設定する手段と、設定燃圧に燃料圧力を制御する手段と、前記設定噴射量と噴射時期に応じて燃料噴射弁を制御する手段とを備え、機関が低負荷・低回転状態では燃料を主に圧縮行程後半に噴射して成層燃焼を行い、前記以外の運転状態では燃料を主に吸気行程に噴射して均質燃焼を行うようにした直噴式の火花点火機関であって、
前記燃料圧力制御手段は、成層燃焼を行う運転領域では、機関回転数の上昇に伴って燃圧を増大し、均質燃焼を行う運転領域では、機関回転数によらず一定の燃圧となるように設定することにより、成層燃焼時の燃焼安定性を機関回転数に対して広範囲に確保しつつ、前記燃料噴射弁に加圧燃料を供給する高圧ポンプの駆動損失を軽減するようにしたことを特徴とする直噴式内燃機関の燃料供給装置。
【請求項２】
機関運転状態を検出する手段と、機関運転状態に応じて燃料噴射量と燃料噴射時期と燃料圧力を設定する手段と、設定燃圧に燃料圧力を制御する手段と、前記設定噴射量と噴射時期に応じて燃料噴射弁を制御する手段とを備え、機関が低負荷・低回転状態では燃料を主に圧縮行程後半に噴射して成層燃焼を行い、前記以外の運転状態では燃料を主に吸気行程に噴射して均質燃焼を行うようにした直噴式の火花点火機関であって、
前記燃料圧力制御手段は、成層燃焼を行う運転領域では、機関回転数の上昇に伴って燃圧を増大し、均質燃焼を行う運転領域では、成層燃焼時に比較して回転数の上昇に対して小さい割合で燃圧が増大するように設定することにより、幅広い運転域にわたりより良好な燃焼性能を得つつ、前記燃料噴射弁に加圧燃料を供給する高圧ポンプの駆動損失を軽減するようにしたことを特徴とする直噴式内燃機関の燃料供給装置。
【請求項３】
機関運転状態を検出する手段と、機関運転状態に応じて燃料噴射量と燃料噴射時期と燃料圧力を設定する手段と、設定燃圧に燃料圧力を制御する手段と、前記設定噴射量と噴射時期に応じて燃料噴射弁を制御する手段とを備え、機関が低負荷・低回転状態では燃料を主に圧縮行程後半に噴射して成層燃焼を行い、前記以外の運転状態では燃料を主に吸気行程に噴射して均質燃焼を行うようにした直噴式の火花点火機関であって、
前記燃料圧力制御手段は、機関の負荷に応じて成層燃焼と均質燃焼とを切り換える運転領域では機関回転数の上昇に伴って燃圧を増大することにより前記燃焼切換時の燃圧切換に伴う応答遅れを回避すると共に、機関の負荷によらず均質燃焼を行う運転領域では、機関回転数によらず一定の燃圧とするように設定することにより、成層燃焼時の燃焼安定性を機関回転数に対して広範囲に確保しつつ、前記燃料噴射弁に加圧燃料を供給する高圧ポンプの駆動損失を軽減するようにしたことを特徴とする直噴式内燃機関の燃料供給装置。
【発明の詳細な説明】
【０００１】
【発明の属する技術分野】
この発明は、直噴式の火花点火内燃機関に関し、特にその燃料供給装置の改良に関する。
【０００２】
【従来の技術】
燃焼室に燃料噴射ノズルを臨ませて配設した燃料噴射弁から、圧縮行程中に筒内に燃料を直接噴射して成層化した混合気を形成し、これを点火燃焼させて燃費を改善する直噴式内燃機関が一般に知られている。
【０００３】
この様な成層燃焼においては、燃料と空気の混合比をある程度以上はリッチにすることができないため、高負荷を要求される運転領域では、燃料を吸気行程中に噴射して均質な混合気を形成・燃焼させる均質燃焼運転モードを合わせ持つことが通常である。また、低負荷時においても、機関回転数が高速である場合には、混合気の成層化を制御することが困難であるため、成層燃焼を行わず均質燃焼としたほうが機関全体として有利となる。
【０００４】
このように、均質燃焼と成層燃焼を切り換えて運転する機関においては、低速・低負荷において主に圧縮行程後半に燃料を噴射して成層燃焼を行い、それ以外の回転・負荷においては主に吸気行程に燃料を噴射して均質燃焼を行う、という２つの運転領域を持っている。
【０００５】
ところで、直噴式内燃機関の燃圧制御方式としては、特開平２−１１５５２０もしくは特開平４−６３９２９に示されるものがある。これらにはいずれも、機関回転数の上昇に伴って燃圧を増大させるものである。
【０００６】
【発明が解決しようとする課題】
しかしながら、均質燃焼と成層燃焼を切り換えて運転する直噴式内燃機関においては、運転状態によって排気・出力・燃焼安定性・燃費といった性能を満足するための燃料の噴射圧力の要求が異なるため、燃圧を単に機関回転数のみをパラメータとして制御するものではその性能を十分に引き出せないことがある。また、高速回転域で必要以上に高い燃圧設定となって燃料ポンプの駆動損失が増大してしまったり、均質燃焼と成層燃焼の切換時に生じる燃圧の切換遅れに伴う制御性の悪化が発生することがある。
【０００７】
本発明はこのような従来の問題点を解消することを目的としている。
【０００８】
【課題を解決するための手段】
請求項１の発明は、機関運転状態を検出する手段と、機関運転状態に応じて燃料噴射量と燃料噴射時期と燃料圧力を設定する手段と、設定燃圧に燃料圧力を制御する手段と、前記設定噴射量と噴射時期に応じて燃料噴射弁を制御する手段とを備え、機関が低負荷・低回転状態では燃料を主に圧縮行程後半に噴射して成層燃焼を行い、前記以外の運転状態では燃料を主に吸気行程に噴射して均質燃焼を行うようにした直噴式の火花点火機関であって、前記燃料圧力制御手段は、成層燃焼を行う運転領域では、機関回転数の上昇に伴って燃圧を増大し、均質燃焼を行う運転領域では、機関回転数によらず一定の燃圧となるように設定することにより、成層燃焼時の燃焼安定性を機関回転数に対して広範囲に確保しつつ、前記燃料噴射弁に加圧燃料を供給する高圧ポンプの駆動損失を軽減するようにした。
【０００９】
請求項２の発明は、機関運転状態を検出する手段と、機関運転状態に応じて燃料噴射量と燃料噴射時期と燃料圧力を設定する手段と、設定燃圧に燃料圧力を制御する手段と、前記設定噴射量と噴射時期に応じて燃料噴射弁を制御する手段とを備え、機関が低負荷・低回転状態では燃料を主に圧縮行程後半に噴射して成層燃焼を行い、前記以外の運転状態では燃料を主に吸気行程に噴射して均質燃焼を行うようにした直噴式の火花点火機関であって、前記燃料圧力制御手段は、成層燃焼を行う運転領域では、機関回転数の上昇に伴って燃圧を増大し、均質燃焼を行う運転領域では、成層燃焼時に比較して回転数の上昇に対して小さい割合で燃圧が増大するように設定することにより、幅広い運転域にわたりより良好な燃焼性性能を得つつ、前記燃料噴射弁に加圧燃料を供給する高圧ポンプの駆動損失を軽減するようにした。
【００１０】
請求項３の発明は、機関運転状態を検出する手段と、機関運転状態に応じて燃料噴射量と燃料噴射時期と燃料圧力を設定する手段と、設定燃圧に燃料圧力を制御する手段と、前記設定噴射量と噴射時期に応じて燃料噴射弁を制御する手段とを備え、機関が低負荷・低回転状態では燃料を主に圧縮行程後半に噴射して成層燃焼を行い、前記以外の運転状態では燃料を主に吸気行程に噴射して均質燃焼を行うようにした直噴式の火花点火機関であって、前記燃料圧力制御手段は、機関の負荷に応じて成層燃焼と均質燃焼とを切り換える運転領域では機関回転数の上昇に伴って燃圧を増大することにより前記燃焼切換時の燃圧切換に伴う応答遅れを回避すると共に、機関の負荷によらず均質燃焼を行う運転領域では、機関回転数によらず一定の燃圧とするように設定することにより、成層燃焼時の燃焼安定性を機関回転数に対して広範囲に確保しつつ、前記燃料噴射弁に加圧燃料を供給する高圧ポンプの駆動損失を軽減するようにした。
【００１１】
【作用・効果】
請求項１の発明によれば、低負荷・低回転の成層燃焼運転域では機関回転数の上昇に応じて燃圧が増大するので、噴霧性状に対して敏感な成層燃焼時の燃焼安定性を機関回転数に対して広範囲に確保可能である。一方、より高負荷・高回転にわたる均質燃焼運転域では燃圧一定であるので高回転域で燃料ポンプ駆動損失を生じることがなく、また均質運転域での燃圧制御が簡潔になる。
【００１２】
請求項２の発明によれば、上記請求項１の発明と同様に成層燃焼運転域にて適切な燃圧設定ができると共に、均質燃焼運転域においても機関回転数の上昇に応じて燃圧を増大させているので、幅広い運転域にわたりより良好な燃焼性能が得られる。また、均質燃焼運転域での燃圧上昇は成層燃焼時に比較して機関回転数の上昇に対する燃圧の上昇を小さくしているので、高回転域での燃料ポンプ駆動損失が著増するようなこともない。
【００１３】
請求項３の発明によれば、機関の負荷に応じて成層燃焼と均質燃焼を切り換える運転領域で、機関回転数の上昇に伴って燃圧を増大し、機関の負荷によらず均質燃焼を行う運転領域では、機関回転数によらず一定の燃圧としているので、噴霧性状に対して敏感な成層燃焼時の安定燃焼を機関回転数に対して広範囲に確保可能である一方、均質・成層切換時の燃圧切換に伴う応答遅れないし制御性の悪化等を避けることが可能である。
【００１４】
【発明の実施の形態】
以下、本発明の実施の形態を図面に基づいて説明する。
【００１５】
図１において、１は直噴式内燃機関の本体（シリンダブロック）、２はシリンダヘッド、３はピストン、４は点火プラグ、５は燃料噴射弁、６は吸気通路、７は排気通路、８は絞り弁、９は吸気弁、１０は排気弁を示している。１１はＣＰＵ，ＲＯＭ，ＲＡＭ，Ｉ／０等からなる制御装置であり、以下の運転状態検出手段からの信号に基づいて燃料噴射量、噴射時期、燃圧を制御する。運転状態検出手段としては、エアフロメータ１２、特定の気筒の所定のクランク角位置を検出するための基準信号（ＲＥＦ）とクランク角度毎の信号（ＰＯＳ）を出力するクランク角センサ１３、水温センサ１４、排気酸素センサ１５、スロットル開度センサ１６、車速センサ１７、燃圧センサ１８を備えている。２０は制御装置からの指令に基づいて燃料噴射弁５に供給する燃料の圧力を可変制御する燃圧制御装置である。
【００１６】
図２は上記燃圧制御装置の構成例を示している。図において２１は燃料タンク、２２は燃料タンク２１中の燃料を汲み上げるための電動の低圧ポンプ、２３は低圧ポンプ２２の吐出圧を一定値に保つ調圧弁、２４は低圧ポンプ２２からの燃料をさらに加圧して各気筒（＃１〜＃４）の燃料噴射弁５に供給する機関駆動の高圧ポンプ、２５は高圧ポンプ２４の吐出圧を制御装置１１（図１参照）からの指令に基づいて可変設定する電磁調圧弁、２６は電磁調圧弁２５からの戻り燃料量を調整するためのオリフィスである。
【００１７】
電磁調圧弁２５は、制御装置１１からの制御指令に応動する電磁ソレノイド２７を備え、このソレノイド２７を介して作動量またはデューティ幅に応じて調圧時のリリーフ圧を可変設定可能となっている。また、高圧ポンプ２４と各燃料噴射弁５をと連通する燃料配管の途中に燃圧センサ１８が設けられている。
【００１８】
図３は、成層燃焼と均質燃焼を機関運転状態によって切り換える際の設定例を示したものである。機関回転数Ｎ１以下がつ機関負荷Ｔ１以下の低速・低負荷領域では燃料を主に圧縮行程後半に噴射して成層燃焼を行い、それ以外の運転領域においては燃料を主に吸気行程に噴射して均質燃焼を行う設定となっている。
【００１９】
なお、機関負荷と回転数はそれぞれ吸入空気量と単位時間あたりのクランクパルス数によって検出され、すなわちエアフロメータ１２とクランク角センサ１３からの信号により検出される。周知のように燃料噴射量と噴射時期は基本的にはこれら負荷と回転数によって決定され、水温センサ１４、酸素センサ１５等の信号に基づいて運転状態に応じた補正が施される。
【００２０】
図４は、本実施形態の成層燃焼および均質燃焼時の機関回転数に対する燃圧の設定例を示したものである。成層燃焼時は図に実線で示すように、機関回転数の増大に応じて設定燃圧も高圧化させる設定となっている。これに対して均質燃焼時は、破線で示したように機関回転数によらず一定の燃圧設定である。
【００２１】
次に作用を説明する。運転状態検出手段（１２〜１８）からの信号を受け、制御装置１１は現在の機関運転状態を判断し、図３の運転域設定に基づいて成層燃焼を行うか均質燃焼を行うかを決定し、適切な燃料噴射量と燃料噴射時期を演算する。制御装置１１はさらに図４の特性に対応するように燃圧の目標値を決定し、燃圧センサ１８から得た現在の燃圧が前記目標値と異なっていれば燃圧制御装置２０（電磁調圧弁２５）により燃圧を設定値に変更する。
【００２２】
次いで、燃料噴射量を燃圧に応じて燃料噴射期間に変換する。そして、制御装置１１は上記にて演算された燃料噴射期間と燃料噴射時期に基づいて各気筒の燃料噴射弁５を駆動する。
【００２３】
成層燃焼時においては機関回転数の増大に伴って、燃料を噴射弁５から点火プラグ４の近傍まで成層化した状態を保ったまま輸送することが困難になる。しかし、機関回転数の増大に伴って燃圧を増大させることで、燃料噴射期間の短縮、噴霧初速の増大、噴霧角の縮小という作用が得られることから、成層状態を保持し良好な燃焼を維持することができる。特に、直噴式の内燃機関においては、機関回転数の増大に伴って点火までの極めて短い期間内に噴射を終えることが成層状態を保持する点で有利である。
【００２４】
また、均質燃焼時においては、成層燃焼時に比して機関回転数の変化に対した燃料噴霧性状への要求は小さいことが一般的である。また、吸気行程に燃料を噴射するので点火までの期間を確保でき、このため成層燃焼時ほど短い期間に燃料噴射を終える必要性も少ない。この場合、ある程度の噴霧の微粒化が得られる範囲で燃圧はできるだけ低い方が、燃料を高圧供給する高圧ポンプ２４の駆動損失を小さくできるので燃費の点で有利である。そこでこの実施形態では、均質燃焼時の燃圧設定を機関回転数によらず一定としている。
【００２５】
上記のように均質燃焼時と成層燃焼時の燃圧を設定することで、特に噴霧性状に対して敏感な成層燃焼時の燃焼安定を機関回転数に対して広範囲に確保可能で、かつ均質燃焼時の損失を最低限に抑えることが出来る。さらにこの燃圧設定では、均質燃焼時の設定燃圧が一定であり、燃圧制御が容易であるという利点がある。
【００２６】
図５に本発明の第２の実施形態の燃圧制御特性を示す。なお、図１〜図３に相当する機械的構成と成層燃焼と均質燃焼を機関運転状態によって切り換える運転域設定に関しては、上記第１の実施形態と同一である。
【００２７】
本実施形態の成層燃焼および均質燃焼時の機関回転数に対する燃圧の設定は、図５に示す如く、成層燃焼時は実線で示すように、機関回転速度の増大に応じて設定燃圧も高圧化させる設定とし、これに対して均質燃焼時は、破線で示すように機関回転数の上昇に伴って燃圧を増大させるが、成層燃焼時に比較して回転集上昇に対する増加割合が小となるように燃圧を増大させる設定である。
【００２８】
上記設定値に燃圧を制御することで、成層燃焼時においては第１の実施形態と同様の理由により機関回転数の増大に対して成層状態を保持し良好な燃焼を維持することができる。また、均質燃焼時において、特にボア・ストローク比の大きな機関等では、吸気行程中の筒内流動が弱いことから、燃料が十分に拡散混合しない場合がある。この様な場合に、本実形態に示すように燃圧を機関回転数に伴って増大させることで、高速時には燃料噴射期間がクランク角ベ一スで短くなり、吸気行程の比較的早い時期に噴射終了でき、これにより燃料と空気の混合時間が長くなり十分な混合が得られることから良好な燃焼が得られる。低速時においては、燃料噴射期間がクランク角ベ一スで長くなり、吸気と燃料が接触する機会が増大するため均質な混合気を得ることができる。
【００２９】
上記のように均質燃焼時と成層燃焼時の燃圧を設定することで、特に噴霧性状に対して敏感な成層燃焼時の安定燃焼を機関回転数に対して広範囲に確保可能で、かつ均質燃焼時にも要求に応じて均質な混合気を得られるような燃圧に設定することが可能となる。
【００３０】
図６に本発明の第３の実施形態の燃圧制御特性を示す。なお、図１〜図３に相当する機械的構成と成層燃焼と均質燃焼を機関運転状態によって切り換える運転域設定に関しては、上記第１の実施形態と同一である。
【００３１】
図６は、本実施形態の成層燃焼および均質燃焼時の機関回転数に対する燃圧の設定を示している。成層燃焼時は上記各実施形態に示したものと同様に、図に実線で示されるとおり、機関回転数の増大に応じて設定燃圧も高圧化させる設定とする。これに対して均質燃焼時は、図に破線で示すように負荷によって均質燃焼と成層燃焼を切り換える機関回転数の範囲、すなわち機関回転数がＮ１以下の範囲では、成層燃焼時と同じ燃圧設定とし、均質燃焼のみを行うＮ１以上の機関回転数では、機関回転数によらず一定の燃圧設定とする。
【００３２】
上記設定値に燃圧を制御することで、成層燃焼時においては第１の実施形態と同様の理由により機関回転数の増大に対して成層状態を保持し良好な燃焼を維持することが出る。また均質燃焼時において、先に示した理由により、燃圧は出来るだけ低い方が燃費には有利であるので、基本的に均質燃焼時の燃圧設定は機関回転数によらず一定とする。しかし、燃圧制御装置は燃圧切換時に応答遅れを持つため、機関回転数Ｎ１以下において成層燃焼と均質燃焼を切り換える場合、加速時等の急激な負荷変化に対して燃圧を十分な速度で制御することは困難な場合がある。そこで、均質燃焼時の燃圧への要求が成層燃焼時に比して鈍感であることから、機関負荷によって成層燃焼と均質燃焼を切り換える機関回転数Ｎ１以下の範囲では、均質燃焼時も成層燃焼時と同じ燃圧設定とする。これにより負荷変化に際して燃圧の切換が不要となり、あらゆる運転状態に対して制御性に優れた燃圧設定とすることができる。
【００３３】
上記のように均質燃焼時と成層燃焼時の燃圧を設定することで、特に噴霧性状に対して敏感な成層燃焼時の安定燃焼を機関回転数に対して広範囲に確保可能で、かつ均質・成層切換時の燃圧切換に伴う制御性の悪化等を避けることが可能である。
【図面の簡単な説明】
【図１】  本発明の第１の実施形態の機構部分及び制御系の概略構成図。
【図２】  同じく燃圧制御装置の概略構成図。
【図３】  成層燃焼運転域と均質燃焼運転域の説明図。
【図４】  第１の実施形態の燃圧制御特性を示す特性線図。
【図５】  本発明の第２の実施形態の燃圧制御特性を示す特性線図。
【図６】  本発明の第３の実施形態の燃圧制御特性を示す特性線図。
【符号の説明】
１    直噴式内燃機関の本体（シリンダブロック）
２    シリンダヘッド
３    ピストン
４    点火プラグ
５    燃料噴射弁
６    吸気通路
７    排気通路
８    絞り弁
９    吸気弁
１０    排気弁
１１    制御装置
１２    エアフロメータ
１３    クランク角センサ
１４    水温センサ
１５    排気酸素センサ
１６    スロットル開度センサ
１７    車速センサ
１８    燃圧センサ
２０    燃圧制御装置
２１    燃料タンク
２２    低圧ポンプ
２３    調圧弁
２４    高圧ポンプ
２５    電磁調圧弁
２６    オリフィス
２７    電磁ソレノイド２７
【図１】
0003800725.tif 000002
【図２】
0003800725.tif 000003
【図３】
0003800725.tif 000004
【図４】
0003800725.tif 000005
【図５】
0003800725.tif 000006
【図６】
0003800725.tif 000007